(57)【要約】【課題】放送データの予約印刷を良好なユーザーインタフェースを介して簡単にユーザが行なえるようにする。【解決手段】電子番組表データを取得し、電子番組表データに基づき、デジタル放送を受信するデジタル放送受信システムにおいて、取得した電子番組表データに基づき、番組欄を提示するＥＰＧ画面１０を表示するとともに、ＥＰＧ画面１０中の番組欄の番組に関連してデジタルデータ放送の放送データが存在する場合のみ、当該放送データの印刷出力を予約する印刷予約操作を受容するユーザーインターフェースメタファとして、予約印刷アイコン１２を番組欄中に表示する。また、番組欄中には、当該番組の録画を予約する録画予約アイコン１１も表示する。【選択図】図１
2007235639.tif 000002
【特許請求の範囲】
【請求項１】
電子番組表データを取得し、電子番組表データに基づき、デジタル放送を受信するデジタル放送受信システムの制御方法において、
取得した電子番組表データに基づき、番組欄を提示するＥＰＧ画面を表示するとともに、該ＥＰＧ画面中の番組欄の番組に関連してデジタルデータ放送の放送データが存在する場合のみ該放送データの印刷出力を予約する印刷予約操作を受容するユーザーインターフェースメタファを該番組欄中に表示する過程を含むことを特徴とするデジタル放送受信システムの制御方法。
【請求項２】
請求項１に記載のデジタル放送受信システムの制御方法において、前記ＥＰＧ画面の番組欄に、前記印刷予約操作を受容するユーザーインターフェースメタファとともに、番組欄の番組の録画予約操作を受容するユーザーインターフェースメタファを含むことを特徴とするデジタル放送受信システムの制御方法。
【請求項３】
請求項１に記載のデジタル放送受信システムの制御方法において、印刷すべき放送データが番組の放送波により伝送されることを特徴とするデジタル放送受信システムの制御方法。
【請求項４】
請求項１に記載のデジタル放送受信システムの制御方法において、印刷すべき放送データが番組の放送と連動してインターネット経由で提供されることを特徴とするデジタル放送受信システムの制御方法。
【請求項５】
請求項１〜４のいずれか１項に記載のデジタル放送受信システムの制御方法を実施すべく、少なくとも前記ＥＰＧ画面を表示する表示手段、および予約操作手段を含むことを特徴とするデジタル放送受信システム。
【請求項６】
請求項１〜４のいずれか１項に記載のデジタル放送受信システムの制御方法を実施すべく、前記ＥＰＧ画面を表示するデジタル放送受信システムの表示手段、およびデジタル放送受信システムの予約操作手段を制御することを特徴とするデジタル放送受信システムの制御プログラム。
【発明の詳細な説明】
【技術分野】
【０００１】
本発明は電子番組表データを取得し、電子番組表データに基づき、デジタル放送を受信するデジタル放送受信システムの制御方法、デジタル放送受信システム、およびデジタル放送受信システムの制御プログラムに関するものである。
【背景技術】
【０００２】
近年、テレビジョン放送方式のアナログ方式からデジタル方式への移行が進みつつある。日本においては、２０００年からスタートしたＢＳデジタル放送を契機に、２００３年からスタートした地上波デジタル放送によって一気に加速している。
【０００３】
テレビジョン（以下、テレビあるいはＴＶとも略記する）放送のデジタル化は、高画質画像の放送を可能にしたばかりでなく、データ放送によりアナログ放送では成し得なかった視聴者との双方向通信や、高付加価値情報の提供を可能にする。
【０００４】
このようなデータ放送により伝送される情報（以下、放送データと記す）としては文字情報や静止画情報があり、テレビ放送受信機やその関連機器においてこの種の放送データを印刷する機能に関するニーズが高まっている。たとえば、料理番組のレシピや、通販番組の商品カタログなどの文字や画像情報をデータ放送し、視聴者がこれを印刷出力することができれば、視聴者および情報提供者の双方にとって大きなメリットをもたらすと考えられる。
【０００５】
一方、従来より、ＴＶ番組の録画（あるいは視聴）予約を制御する方式として、いわゆる電子番組ガイド（ＥＰＧ）が知られている。そのユーザーインターフェースは、新聞のＴＶ番組欄に似た様式のＴＶ番組表を表示し、所望番組の部分を選択することによってその番組を予約するものである（たとえば特許文献１）。番組データ（ＥＰＧデータ）は、データ放送それ自体により配布する他、テレビ放送受信機やその関連機器がたとえばインターネット上の特定のサーバから取得（いわゆるｉＥＰＧ方式）するような構成が考えられる。
【０００６】
特許文献１の技術は、取得した番組データを用いて、ＴＶ番組表形式のユーザーインターフェースを構成することに留まり、番組が文字や画像などのデータ放送を含む（あるいは連動する）ことは意識されていない。
【０００７】
しかし、データ放送を含むＴＶ番組を予約し、当該番組に印刷すべき画像データが含まれていればそれを印刷する技術も提案されている（たとえば特許文献２）。この特許文献２では、ＥＰＧ情報を受信すること、予約される番組に関して印刷すべき画像データの有無を検出すること、予約番組に関して印刷すべき画像データがあれば印刷すること、その印刷時間を設定すること、などが開示されている。
【特許文献１】特許２８３８８９２号
【特許文献２】特開２００４−２４１８８１号公報
【発明の開示】
【発明が解決しようとする課題】
【０００８】
今のところ判明しているデータ放送の形式には、大別して２種類あり、１つは常時情報提供を行なう「独立型データ放送」、もう１つは、放送番組に連動し、あらかじめ定められた時間に限り情報提供が行なわれる「番組連動型データ放送」がある。
【０００９】
また、さらに今後はインターネット側からのデータ提供とＴＶ番組を連動させたサービス形態も普及する可能性がある（たとえば朝日新聞２００３年１１月１５日号）。この構成では、なんらかのリンク情報を用いてインターネット上の放送データをＴＶ番組と連動させ、放送データ提供については放送波を用いずインターネットを利用する。このような構成も一種の「番組連動型データ放送」と考えることができる。
【００１０】
上記の特許文献２におけるデータ放送は、「番組連動型データ放送」であるものと考えられ、このようなデータ放送形式により伝送される文字情報や画情報などの放送データを予約印刷する点は開示している。しかし、特許文献２では、積極的にデータ放送のみを予約印刷、あるいは番組の動画データと独立して別々に予約印刷したい、といった視聴者の需要については殆ど考慮されていない。
【００１１】
視聴者側にたって見れば、種々の事情から番組の動画データ部分には興味がないが連動して提供される放送データは印刷したい、というケースは充分あり得るが、特許文献２ではこのようなユーザの事情は全く意識されていない。
【００１２】
なお、上述の問題はＴＶ番組の搬送形態に限定されるものではなく、たとえば電波による搬送、有線搬送などのいずれの搬送形態においても共通するものである。また、上述の問題は番組とデータ放送の連動形態に限定されるものではなく、たとえば放送データが放送波により提供される場合、インターネット経由で提供される場合などいずれの連動形態においても、番組とデータ放送が関連づけられて提供する場合に共通するものである。
【００１３】
本発明の課題は、上記の問題に鑑み、テレビジョン番組に関連づけられて提供されるデータ放送の放送データのみを予約印刷したり、番組の動画データと独立して別々に予約印刷できるようにすることにある。さらに、本発明の他の課題は、放送データの予約印刷を良好なユーザーインタフェースを介して簡単にユーザが行なえるようにすることにある。
【課題を解決するための手段】
【００１４】
上記課題を解決するため、本発明においては、電子番組表データを取得し、電子番組表データに基づき、デジタル放送を受信するデジタル放送受信システムの制御方法、デジタル放送受信システム、およびデジタル放送受信システムの制御プログラムにおいて、取得した電子番組表データに基づき、番組欄を提示するＥＰＧ画面を表示するとともに、該ＥＰＧ画面中の番組欄の番組に関連してデジタルデータ放送の放送データが存在する場合のみ該放送データの印刷出力を予約する印刷予約操作を受容するユーザーインターフェースメタファを該番組欄中に表示する過程を含む構成を採用した。
【発明の効果】
【００１５】
上記構成によれば、印刷すべき放送データがある場合のみ、印刷予約操作を受容するユーザーインターフェースメタファを表示するようにしているので、放送番組に関連（連動）して印刷可能な放送データが存在することをユーザに明示することができ、ユーザは失敗なく確実に放送データのみを独立して予約印刷することができる。また、録画／予約操作を受容するユーザーインターフェースメタファを１つのＥＰＧ画面内に表示するようにしているので、ユーザが録画／印刷対象として選択した番組とそれ以外の番組を一面の表示画面により、明瞭に表示することができ、ユーザは番組視聴、録画、予約印刷を効率よくかつ容易に操作できる、という優れた効果がある。
【発明を実施するための最良の形態】
【００１６】
以下、発明を実施するための最良の形態の１例として、文字または静止画情報などの放送データを伝送するデータ放送を予約印刷する受信システムに関する実施例を示す。
【実施例１】
【００１７】
図２は本発明を採用した受信システムの構成を示している。図２において、受信装置本体１０１は、たとえばデジタルＴＶチューナーやＳＴＢ（セットトップボックス）のような形態の製品として提供されるものである。図２の受信システムは、主にこの受信装置本体１０１と、モニター１０２、録画部１２６、およびリモコン１１９、およびネットワーク接続されたプリンタ１２２などから構成されている。もちろん、図２において別体に示されている部材は任意に組合せて一体化することができ、たとえば受信装置本体１０１、モニター１０２、録画部１２６の部分を一体化すればＴＶ受信装置のような製品を構成することができる。
【００１８】
モニター１０２は、液晶ディスプレイやプラズマディスプレイ、あるいはＣＲＴのような表示デバイスを用いた画像表示装置である。録画部１２６は、ＤＶＤレコーダ、ＤＶＤ／ＨＤＤレコーダ、ＨＤＤレコーダのような画像記録デバイスから構成される。リモコン１１９は受信装置本体１０１の操作部１２０のリモコン受光部などと赤外線通信などにより通信し、選局や録画、印刷予約などを制御するのに用いられる。
【００１９】
受信装置本体１０１は以下に示す各部材から構成される。まず、符号１０３は受信装置本体１０１全体を制御するためのＣＰＵ、１０４はＣＰＵ１０３が実行する制御プログラムを格納するＲＯＭである。後述の制御プログラムはたとえばこのＲＯＭ１０４に格納しておくことができる。符号１０５は制御プログラムを実行する過程で、制御プログラムそれ自体ないし各種データを格納するために用いられるＲＡＭである。
【００２０】
符号１０６は受信したデータストリーム情報などを一時保持するためのＨＤＤ（ハードディスクドライブ）である。１０７は受信装置本体１０１と外部デバイス・ネットワークと接続するためのＬＡＮコントローラ（以下、ＬＡＮＣと記す）である。本実施例では、放送データを印刷するプリンタ１２２はＬＡＮＣ１０７を介して接続されている。
【００２１】
ＲＴＣ（リアルタイムクロック）１２５は、現在時刻を計時するものであり、後述の予約動作の制御に用いられる。
【００２２】
符号１０８以降はデジタルＴＶ放送の受信に関する部材であるが、これらについては、以下、受信信号の流れに沿って説明する。
【００２３】
不図示のアンテナ（あるいはＣＡＴＶケーブル）から受信した放送波は、チューナー１０８に入力され、ユーザ（視聴者）がリモコン１１９により指示した所望の放送局チャンネルの選択動作を行なう。チューナー１０８は入力された信号に対して復調・誤り訂正等の処理を施し、トランスポートストリームと呼ばれる形式のデジタルデータを生成する。生成したトランスポートストリーム（以下、ＴＳとも記す）データはデスクランブラ１０９に出力される。
【００２４】
このトランスポートストリームデータは図３に示すように、映像データＤ１、音声データＤ２、データ放送の放送データＤ３、ＥＰＧデータＤ４などから構成される。
【００２５】
デスクランブラ１０９は、視聴制限のためのスクランブルがかけられているＴＳデータがチューナ１０８より入力された場合、ＴＳデータに含まれるデスクランブルのための鍵情報とＩＣカード制御部１２１から出力される鍵情報に基づいて、スクランブル解除を行ない、デマルチプレクサ１１０にデコードしたデータを出力する。
【００２６】
ＩＣカード制御部１２１には、ユーザの契約情報およびＴＳデータに含まれるデスクランブラ用の鍵情報を解くための鍵情報が格納されているＩＣカード（不図示）を装着することができる。このＩＣカードには、デスクランブラ１０９から入力されたデスクランブル用の鍵情報を解くための鍵情報が格納されており、ＩＣカード制御部１２１はこの鍵情報をデスクランブラ１０９に出力する。
【００２７】
また、デスクランブラ１０９は、チューナ部１０８よりスクランブルがかけられていないＴＳデータを入力した場合にはＴＳデータをそのまま、デマルチプレクサ１１０に出力する。
【００２８】
デマルチプレクサ１１０は、デスクランブラ１０９より入力された複数チャンネル分の映像、音声データ、および電子番組ガイド（ＥＰＧ）データ、データ放送データ等が時分割多重化されているＴＳデータの中から、操作部１２０もしくはリモコン１１９の操作により選択されたチャンネルにおいて、現在放送中の番組に係る映像データＤ１（図３）および音声データＤ２（同）を取り出し、それぞれをビデオデコーダ１１１、およびオーディオデコーダ１１３に出力する。
【００２９】
また、デマルチプレクサ１１０は、前述のＴＳデータより放送データＤ３およびＥＰＧデータＤ４を取り出し、データ放送処理部１１５に入力する。データ放送処理部１１５によって処理されたデータ放送／ＥＰＧデータは、ＣＰＵ１０３に接続されているバス１２４を介してＲＡＭ１０５に取り込まれ、ＣＰＵ１０３によるソフトウェア処理（後述する）の後にハードディスク（以下、ＨＤＤと記す）１０６に格納される。
【００３０】
また、ＴＳデータはパケット単位で伝送され、パケットの先頭部分にはＰＩＤ（Ｐａｃｋｅｔ  Ｉｄｅｎｔｉｆｉｃａｔｉｏｎ）が付加されている。デマルチプレクサ１１０はこのＰＩＤを読み取ることで、映像データＤ１、音声データＤ２、放送データＤ３、ＥＰＧデータＤ４の識別を行なう。
【００３１】
ここで、映像データの処理経路について説明する。ビデオデコーダ１１１はデマルチプレクサ１１０より入力された映像データＤ１に対して、ＭＰＥＧ２のデコード処理を施し、復号した映像データを表示制御部１１２に出力する。表示制御部１１２は、ビデオデコーダ１１１もしくはリモコンの操作に応じて画面を切り替えたり、多重したりしてモニタ１０２に表示させる。
【００３２】
画面構成部１１７は、データ放送の放送データに基づき、ＯＳＤ表示するための表示データを生成する。画面構成部１１７は、放送データに基づき、映像データとともに同時に表示させたりする表示データを生成する他、後述の予約画面などのユーザーインターフェースに必要な表示画面を生成する。
【００３３】
次に、音声データの処理系について説明する。オーディオデコーダ１１３はデマルチプレクサ１１０より入力された音声データＤ２に対して、ＭＰＥＧ２のデコード処理を施し、復号した音声データをＤＡＣ１１４に出力する。ＤＡＣ１１４は、オーディオデコーダ１１３より入力された音声データに対して、Ｄ／Ａ変換の処理を施し、モニタ１０２に出力する。
【００３４】
ここで、図３のデータ放送Ｄ３およびＥＰＧデータＤ４について説明する。まず、データ放送Ｄ３は、ＩＳ０／ＩＥＣ１３８１８−６に規定されているＤＳＭ−ＣＣのデータカルーセル方式により放送局から繰り返しデジタルデータが送出されてくる。デマルチプレクサ１１０によってフィルタリングされたデータ放送データには、テキスト情報、スクリプト情報、画像情報、および映像・音声データが含まれており、テキスト情報は、Ｗ３Ｃの規定するＸＭＬ（ｅＸｔｅｎｓｉｂｌｅＭａｒｋｕｐ  Ｌａｎｇｕａｇｅ）によって記述されている。
【００３５】
また、ＥＰＧデータＤ４として伝送される電子番組ガイド（ＥＰＧ）データは、所定フォーマット、たとえば社団法人電波産業会（通称ＡＲｉＢ）による標準規格「デジタル放送に使用する番組陳列情報」などにより規定されるデータ構造で伝送される。この同規格によれば、ＥＰＧデータＤ４の主な構成データとしては、編成チャンネルの名称、放送事業社の名称など、編成チャンネルに関する情報を伝送するＳＤＴ（Ｓｅｒｖｉｃｅ  Ｄｅｓｃｒｉｐｔｉｏｎ  Ｔａｂｌｅ）が含まれる。さらに、ＥＰＧデータには、番組の名称、放送開始日時、内容の説明など、番組に関する情報を伝送するＥＩＴ（Ｅｖｅｎｔ  Ｉｎｆｏｍａｔｉｏｎ  Ｔａｂｌｅ）などが含まれる。ＥＰＧデータは、いわば、番組のスケジュールであり、番組の視聴／録画を制御するために必要なデータが含まれる。
【００３６】
図３の下部には、ＥＩＴのうち重要な部分、放送番組の開始／終了時刻、そのコンテンツ内容の例を示してある。図３の例では、コンテンツ内容から、ＭＰＥＧ２の動画の他に、放送データとしてＪＰＥＧ静止画（景色）およびＸＨＴＭＬ形式の文字データ（旅レポート）が含まれる。また、図３の例では、当該の放送データ（あるいは動画データ）を取得可能なＵＲＬ情報がデータソースとして含まれている。
【００３７】
データ放送Ｄ３およびＥＰＧデータＤ４は、データ放送処理部１１５により、テキスト情報と画像情報からなるＥＰＧデータとテキスト情報、画像情報、および映像・音声データからなるデータ放送データに復号処理された後、ＨＤＤ１０６に保存される。
【００３８】
画面構成部１１７は、ＣＰＵ１０３によって処理されたデータに基づいて映像信号を表示制御部１１２に出力する。また、画面構成部１１７は、必要に応じてアイコン生成部１１８から出力されるリモコン１１９により指示されたＥＰＧ画面上の「予約印刷」「録画予約」などの選択アイコン（あるいはボタン）をユーザに判別可能な形態で合成処理したものをＯＳＤ表示内容として、表示制御部１１２に出力する。
【００３９】
表示制御部１１２は、映像画面、データ放送画面等の切り替え、あるいは合成（ＯＳＤ）表示を行なうようモニタ１０２に対して映像信号を出力する。
【００４０】
次に以上の構成における動作につき説明する。本実施例では、モニタ１０２により図１に示すような態様のＥＰＧ画面１０を合成（ＯＳＤ）表示させる。図１のＥＰＧ画面１０は、図３のようなフォーマットで取得したＥＰＧデータＤ４に基づき生成される。
【００４１】
図１のＥＰＧ画面１０は、特許文献１などに示されているものと同様、たとえば新聞のＴＶ欄と同様の書式により、放送局（Ａ放送、Ｂ放送、Ｃ放送…）ごとに番組を時間軸に沿って縦方向に配列した構成を有する。
【００４２】
そして、本実施例では、図１のように、従来同様の録画（あるいは視聴を）予約するための録画予約アイコン１１に加え、録画予約アイコン１１とは独立して予約印刷アイコン１２を番組欄内に表示する。これらのアイコン１１、１２は番組の録画予約あるいは印刷予約操作を受容するため、ＥＰＧ画面上で表示するユーザーインターフェースメタファである。
【００４３】
予約印刷アイコン１２は、その番組に付随の放送データをプリンタ１２２に送って印刷させる動作を予約、すなわち印刷予約を行なうためのものである。
【００４４】
予約印刷アイコン１２の表示に際しては、図３のようなフォーマットで取得したＥＰＧデータＤ３に基づきデータ放送が付随する（あるいはＵＲＬなどを介して連動している）番組には、予約印刷アイコン１２を表示する（たとえばＢ放送２０：００からの「楽しい旅レポート」）。また、放送データが付随しない（連動していない）番組には予約印刷アイコン１２を表示しない（たとえばＡ放送２０：００からの「ドラマ」）。
【００４５】
また、図１において、濃色で表示されているアイコンは、リモコン１１９（あるいは不図示のマウスなど）によって操作済みで、該当の予約が選択されていることを示す。たとえばＡ放送１８：００からの「楽しい料理」は、録画予約アイコン１１および予約印刷アイコン１２の双方が濃色となっており、録画予約および印刷予約が行なわれている。
【００４６】
このように、録画予約アイコン１１および予約印刷アイコン１２の表示状態を変更することによって、極めて容易に各「予約」の状態をユーザに判り易く表示することができる。
【００４７】
図４は、印刷予約を行なうための制御手順を示す。図４のフローチャートはＣＰＵ１０３が実行する制御プログラムとしてたとえばＲＯＭ１０４に格納しておくことができる（後述の他のフローチャートも同様）。
【００４８】
図４において、ＴＶ放送を視聴している通常動作（ステップＳ０１）から、リモコン１１９等によりＥＰＧ番組表確認および、番組録画予約、またはデータ放送の予約印刷が可能な状態（ステップＳ０２）に切り替えられると、放送局より送信されたトランスポートストリームデータより番組情報を取得する（ステップＳ０３）。
【００４９】
ステップＳ０４では、ステップＳ０３で取得した情報を基に、図１に示すようなＥＰＧ画面を構成し、ＲＡＭ１０５または、ＨＤＤ１０６上に展開する。
【００５０】
展開したＥＰＧ画面は、画面構成部１１７、および表示制御部１１２を介してモニタ１０２に表示し（ステップＳ０５）、リモコン１１９などにより予約印刷選択モードへの移行指示があるか否かを監視（ステップＳ０６）する。ただし、ステップＳ０２のＥＰＧ画面表示を予約印刷選択モードへの移行指示とみなして直ちに予約印刷選択モードに入る、すなわちステップＳ０６を省略することもできる。
【００５１】
予約印刷選択モードにおいては、予約印刷の番組選択がなされたか否かを監視（ステップＳ０７）し、予約印刷がなされた場合は、その番組情報をＲＡＭ１０５、あるいはＨＤＤ１０６に格納する（ステップＳ０８）。さらに、アイコン生成部１１８を介してモニタ１０２上に表示中のＥＰＧ画面中の予約印刷が選択された予約印刷アイコン１２（図１）の表示色（あるいは形状）を予約済みを意味するものに変更（ステップＳ０９）する。
【００５２】
ステップＳ０７〜Ｓ０９のループにより、ユーザは所望の番組の放送データを印刷予約することができる。また、ここでは図示していないが、同時に録画予約アイコン１１の操作も受け付け、同様に同アイコン操作された場合は予約データを生成／記憶するとともにその色（形状）を予約済みを意味するものに変更する。
【００５３】
ステップＳ０７で、リモコンからの指示などにより予約印刷選択モード、あるいはさらにＥＰＧ表示モードが解除された場合（ステップＳ１０）、予約印刷指示待ち受け状態およびＥＰＧ表示モードを解除し、処理を終了する。
【００５４】
図５は、予約印刷アイコン１２の操作により予約された放送データの印刷処理手順を示している。図示の手順は、たとえば定期的に実行されるタイマ割り込みなどにより起動される。
【００５５】
装置が稼働状態にあり、図５の予約印刷処理が、タイマ割り込みなどにより起動されると、ＲＡＭ１０５またはＨＤＤ１０６に格納されている予約印刷情報を読み出し（ステップＳ２１）、予約印刷番組が設定されている場合は（ステップＳ２２）、ＲＴＣ１２５の時刻情報を参照し指定日時を監視する（ステップＳ２３）。
【００５６】
ＲＴＣ１２５の計時が指定の日時に一致（あるいは経過）している場合は次の処理を行なう。すなわち、読み出した印刷予約情報に基づき、デジタル放送のトランスポートストリームデータに含まれる印刷すべき放送データにアクセスし（ステップＳ２４）、指定されたＵＲＬなどにしたがい該当するプリントデータを取得する（ステップＳ２５）。
【００５７】
放送データは、たとえば放送局や放送データ提供者が管理するインターネットサイトからダウンロードする（たとえば図３中のデータソースで指定されたＵＲＬを用いる）。その際、インターネットへのアクセスには、ＬＡＮＣ１０７、ルータ１２３が用いられる。
【００５８】
続いてステップＳ２６では、取得した放送データに基づきプリンタ１２２に引き渡すべき印刷データを生成する。
【００５９】
この印刷データは、プリンタ１２２が受信可能な、たとえば、ビットマップの形式やＰＤＬにより表現されたものとなる。ただし、プリンタがＸＴＭＬなどのデータ形式を受信可能な場合は、取得した放送データをそのままプリンタ１２２に送信することもできる。生成した印刷データは、ＬＡＮＣ１０７経由でプリンタ１２２へ送信する（ステップＳ２７）。
【００６０】
なお、プリンタ１２２が通電されていない、あるいは紙なし状態であるなどの理由により印刷できない場合も考えられる。そこで、印刷データを直ちにプリンタ１２２に送信するかわりにシステムのプリントキューに投入し、プリンタ１２２が印刷可能か否かを監視しつつ、印刷可能になったときプリントキューの印刷データをプリンタ１２２に送信し始めるような印刷制御を行なうようにしてもよい。このようなプリントキューを用いた印刷制御技術には、種々のコンピュータのＯＳにおいて実施されている公知の印刷制御技術を流用できる。
【００６１】
図６は、録画予約アイコン１１の操作により予約された放送番組の録画処理手順を示している。図示の手順は、図５の場合と同様にたとえば定期的に実行されるタイマ割り込みなどにより起動される。図６の処理は図５の処理と類似する部分が多いので、相当するステップには図５と同一のステップ番号を用いている。
【００６２】
装置が稼働状態にあり、図６の録画処理が、タイマ割り込みなどにより起動されると、ＲＡＭ１０５またはＨＤＤ１０６に格納されている予約印刷情報を読み出し（ステップＳ２１）、予約印刷番組が設定されている場合は（ステップＳ２２）、ＲＴＣ１２５の時刻情報を参照し指定日時を監視する（ステップＳ２３）。
【００６３】
ＲＴＣ１２５の計時が、指定の日時に一致（あるいは経過）している場合は次の処理を行なう。すなわち、読み出した録画予約情報に基づき、チューナー１０８により、録画すべき番組のチャネルを選局し（ステップＳ３１）、録画部１２６へデータを送出する（ステップＳ３２）。
【００６４】
なお、図２の構成では、ビデオデコーダ１１１、オーディオデコーダ１１３、表示制御部１１２、ＤＡＣ１１４を介してアナログのモニタ１０２に動画／音声信号を出力し、また、録画部１２６は同じ動画／音声信号を録画するよう図示してある。しかし、モニタ１０２ないし録画部１２６のインターフェースによっては、たとえばＭＰＥＧ２データをそのまま出力し、表示／録画させる構成とすることもできる。また、受信装置本体１０１の製品仕様にもよるが、ＨＤＤ１０６でＭＰＥＧ２データを録画するように構成してもよい。
【００６５】
以上のようにして、デジタルデータ放送の放送データを予約印刷することができる。本実施例では、図１のようにＥＰＧ画面１０上に録画予約アイコン１１とは独立した予約印刷アイコン１２を設けており、ユーザは録画予約とは独立して放送データの予約印刷を指定できる。すなわち、本実施例によれば、放送データのみを予約印刷したり、番組の動画データと独立して別々に予約印刷することができる。
【００６６】
すなわち、上記実施例によれば、印刷すべき放送データがあれば、印刷予約操作を受容するユーザーインターフェースメタファ（アイコン）を表示することにより、放送番組に関連（連動）して印刷可能な放送データが存在することをユーザに明示することができる。したがって、ユーザは失敗なく確実に放送データのみを独立して予約印刷することができる。また、上記実施例によれば、録画／予約操作を受容するユーザーインターフェースメタファを１つのＥＰＧ画面内に表示するようにしている。したがって、ユーザが録画／印刷対象として選択した番組とそれ以外の番組を一面の表示画面により、明瞭に表示することができ、ユーザは番組視聴、録画、予約印刷を効率よく操作できる、という優れた効果がある。
【００６７】
なお、上記の図５では、放送データがインターネット上の特定のＵＲＬからダウンロードされる放送連動形態における制御を示したが、放送波に放送データが含まれている場合には、図７のような制御を用いればよい。図７では図５と同等のステップでは同一のステップ番号を用いている。
【００６８】
図７は、予約印刷アイコン１２の操作により予約された放送データの印刷処理手順を示している。図示の手順は、たとえば定期的に実行されるタイマ割り込みなどにより起動される。
【００６９】
装置が稼働状態にあり、図７の予約印刷処理が、タイマ割り込みなどにより起動されると、ＲＡＭ１０５またはＨＤＤ１０６に格納されている予約印刷情報を読み出し（ステップＳ２１）、予約印刷番組が設定されている場合は（ステップＳ２２）、ＲＴＣ１２５の時刻情報を参照し指定日時を監視する（ステップＳ２３）。
【００７０】
ＲＴＣ１２５の計時が指定の日時に一致（あるいは経過）している場合は次の処理を行なう。すなわち、読み出した印刷予約情報に基づき、チューナー１０８により、録画すべき番組のチャネルを選局し（ステップＳ４１）、放送波に含まれている放送データを取得する（ステップＳ２５）。上記のように放送データは、ＸＨＴＭＬデータ、ＪＰＥＧ等の画像データ、プレーンテキストデータなどの形式となっている。
【００７１】
続いて、ステップＳ２６では、データ放送処理部１１５を介して取得したデータにしたがい、プリンタ１２２に引き渡すべき印刷データを生成する（ステップＳ２６）。
【００７２】
上述同様、この印刷データは、プリンタ１２２が受信可能な、たとえば、ビットマップの形式やＰＤＬにより表現されたものとなる。ただし、プリンタがＸＴＭＬなどのデータ形式を受信可能な場合は、取得した放送データをそのままプリンタ１２２に送信することもできる。生成した印刷データは、ＬＡＮＣ１０７経由でプリンタ１２２へ送信する（ステップＳ２７）。
【００７３】
図７の構成においても、上述同様にプリンタ１２２が通電されていない、あるいは紙なし状態であるなどの理由により印刷できない場合を考慮して、印刷データをプリントキューに投入する制御を行なってもよい。この場合、プリンタ１２２が印刷を実行できるか否かを監視しつつ、印刷可能になったときプリントキューの印刷データをプリンタ１２２に送信し始める。
【００７４】
以上では、図１のように、ＥＰＧ画面１０上に録画予約アイコン１１とは独立した予約印刷アイコン１２を設けた構成を示した。
【００７５】
しかしながら、図８のＥＰＧ画面１０に示すように、デジタル放送データの印刷予約を行なう予約印刷アイコン１３のみを配置するようにしてもよい。
【００７６】
図８の予約印刷アイコン１３は、予約印刷アイコン１２と同様、その番組に付随の放送データをプリンタ１２２に送って印刷させる動作を予約、すなわち印刷予約を行なうためのものである。
【００７７】
予約印刷アイコン１３の表示に際しては、図３のようなフォーマットで取得したＥＰＧデータＤ４に基づきデータ放送が付随する（あるいはＵＲＬなどを介して連動している）番組には、予約印刷アイコン１３を表示する（たとえばＢ放送２０：００からの「楽しい旅レポート」）。また、放送データが付随しない（連動していない）番組には予約印刷アイコン１３を表示しない（たとえばＡ放送２０：００からの「ドラマ」）。
【００７８】
また、図８において、濃色で表示されているアイコンは、リモコン１１９（あるいは不図示のマウスなど）によって操作済みで、該当の予約が選択されていることを示す。たとえばＡ放送１８：００からの「楽しい料理」は、予約印刷アイコン１３が濃色となっており、印刷予約が行なわれている。
【００７９】
図８のように、ＥＰＧ画面１０上に予約印刷アイコン１３のみを配置することにより、デジタル放送データの印刷予約のみを選択、実行させることができる。
【００８０】
なお、図８のようなＥＰＧ画面ユーザーインターフェースと別に、図８と同等の形態で、録画予約アイコンのみを配列したＥＰＧ画面を用い、録画予約はこちらのＥＰＧ画面を用い、印刷予約は図８のＥＰＧ画面を用いるようにしてもよい。このような仕様によれば、ＥＰＧ画面をより簡潔かつ判り易く表示することができる。
【００８１】
また、上記実施形態において、ユーザから録画ないし印刷を「予約」する操作を受容するためのユーザーインターフェース画面上で用いられるユーザーインターフェースメタファとして「アイコン」を例示した。しかし、このようなメタファとしては、受信装置本体１０１で用いられるＯＳなどの用語体系によっては、「ボタン」などと呼ばれるものを用いることができる。
【００８２】
また、以上では、印刷／録画予約が選択されたアイコン（ボタン）に対して色を変更する例を示したが、印刷／録画予約のユーザ操作を表示できるものであれば、任意の表示制御を行なうことができる。たとえば、印刷／録画予約が選択されたアイコン（ボタン）中の表示文字（例：「未予約印刷」→「予約印刷済み」）を変更してもよい。また、アイコンの表示形状の変更など、他のなんらかの形で操作状態が異なることがユーザに明示できれば他の表示制御を行なうことができる。
【００８３】
また、以上では、プリンタ１２２はＬＡＮ経由で接続される構成を例示したが、これに限ることは無くＵＳＢやＩＥＥ１３９４やＩＥＥ１２８４などのインターフェースによりプリンタ１２２を接続することもできる。また、プリンタ１２２への出力データ形式は、ＸＨＴＭＬ、任意のＰＤＬ、ビットマップなど任意であり、これにより本発明が限定されるものではない。
【００８４】
また、以上では、印刷予約されたデジタル放送データは、プリンタにより印刷出力されるが、同時にたとえばＨＤＤ１０６などに保存してもよい。
【００８５】
また、データ放送の形式については、番組連動型を例示したが、本発明はこれに限定されるものではなく、あらかじめ定められた日時プログラムにしたがって提供されるデータ放送であれば上記構成により予約印刷できるのはいうまでもない。たとえば、データ放送専門のチャンネルなどであれば、図８に示したようなＥＰＧ画面により、放送内容を予約印刷することができる。
【産業上の利用可能性】
【００８６】
本発明は、デジタルデータ放送を取り扱う任意の受信システムに適用できる。先に触れたように、筐体構成上、モニタ、録画部、プリンタなどが一体であるか、別体であるかは本発明を限定する要素ではなく、これらの各部材の有無や一体であるか、別体であるかなどは製品仕様に応じて任意である。
【００８７】
本発明を実施する制御プログラムは、あらかじめ受信システムを構成する機器のＲＯＭに格納しておくことができる。また、たとえばＵＳＢインターフェースなどにより接続されたＭＯやＣＤ−ＲＯＭなどのメディアからインストール／アップデートしたり、任意のサーバからネットワーク経由で供給することもできる。
【図面の簡単な説明】
【００８８】
【図１】本発明を採用したデジタル放送受信システムにおけるＥＰＧ画面の構成を示した説明図である。
【図２】本発明を採用したデジタル放送受信システムの構成を示したブロック図である。
【図３】デジタル放送のデータフォーマットを示した説明図である。
【図４】図１の装置における印刷予約制御手順を示したフローチャート図である。
【図５】図１の装置における印刷制御手順を示したフローチャート図である。
【図６】図１の装置における録画制御手順を示したフローチャート図である。
【図７】図１の装置における印刷制御手順を示したフローチャート図である。
【図８】本発明を採用したデジタル放送受信システムにおける異なるＥＰＧ画面の構成を示した説明図である。
【符号の説明】
【００８９】
１０１  受信装置本体
１０２  モニタ
１０３  ＣＰＵ
１０４  ＲＯＭ
１０５  ＲＡＭ
１０６  ＨＤＤ
１０７  ＬＡＮＣ
１０８  チューナー
１０９  デスクランブラ
１１０  デマルチプレクサ
１１１  ビデオデコーダ
１１２  表示制御装置
１１３  オーディオデコーダ
１１４  ＤＡＣ
１１５  データ放送処理部
１１６  ＥＰＧ処理部
１１７  画面構成部
１１８  アイコン生成部
１１９  リモコン
１２０  操作部・リモコン受光部
１２１  ＩＣカード制御部
１２２  プリンタ
１２３  ルーター
１２４  システムバス
１２５  ＲＴＣ
１２６  録画部
【図１】
2007235639.tif 000003
【図２】
2007235639.tif 000004
【図３】
2007235639.tif 000005
【図４】
2007235639.tif 000006
【図５】
2007235639.tif 000007
【図６】
2007235639.tif 000008
【図７】
2007235639.tif 000009
【図８】
2007235639.tif 000010